(57)【要約】【課題】可変ビットレートのＭＰ３ファイルを再生しているとき、設定したキューポイントから再生を開始する場合、ＣＤ−ＤＡに記録されたオーディオデータにおけるキューポイントの検索時間に比べて、設定したキューポイントを検出する検索時間が長くなる。【解決手段】制御部は、操作部によりキューポイントが設定された直前に検出したＭＰ３フレームの再生するときの再生時間及びＭＰ３フレームが記録された記録位置の情報を記憶部に記憶する制御をし、設定したキューポイントから再生を開始するとき、記憶部に記憶された再生時間に対応する記録位置より再生を開始し再生時間がキューポイント再生開始時間になると、オーディオデータを出力部から出力する制御をする。【選択図】  図１
2004272952.tif 000002
【特許請求の範囲】
【請求項１】
情報記録媒体に記録されたフレーム情報を有する圧縮オーディオデータをフレーム単位でオーディオ信号に伸張し該オーディオ信号を再生する再生部と前記再生部が再生したオーディオ信号を出力する出力部を備えた情報記録媒体再生装置において、
前記再生部が再生したオーディオ信号の再生開始位置を設定する設定部と、
前記設定部が設定した再生開始位置における再生開始時間を記憶する記憶部と、前記設定部が設定した再生開始位置からオーディオ信号を再生する指示を入力する指示部と、前記再生部が予め定められたセクタ数に記録された圧縮オーディオデータを再生する毎にフレームのヘッダを検出する制御をする制御部とを備え、前記制御部は、前記設定部から再生開始位置を設定する指示が入力されると、前記再生部が圧縮オーディオデータのフレームのヘッダを再生したときの当該ヘッダの記録位置を示す情報を前記記憶部に記憶する制御をし、かつ、前記指示部から再生開始の指示が入力されると、前記記憶部に記憶された当該ヘッダの記録位置から圧縮オーディオデータの再生を開始し再生時間が前記再生開始時間と一致したとき、オーディオ信号を前記出力部から出力する制御をすることを特徴とする情報記録媒体再生装置。
【請求項２】
請求項１記載の情報記録媒体再生装置において、
前記記憶部は、前記制御部が前記予め定められたセクタ数毎にフレームのヘッダを検出したときの再生時間及び該ヘッダの記録位置を示す情報を記憶する記憶テーブル部を備えることを特徴とする情報記録媒体再生装置。
【請求項３】
請求項１又は請求項２記載の情報記録媒体再生装置において、
情報記録媒体に記録された圧縮オーディオデータは、可変ビットレートのＭＰ３形式の圧縮オーディオデータであることを特徴とする情報記録媒体再生装置。
【発明の詳細な説明】
【０００１】
【発明の属する技術分野】
本発明は、情報記録媒体に記録されている圧縮オーディオデータを再生する情報記録媒体再生装置に関する。
【０００２】
【従来の技術】
従来、オーディオデータを圧縮する圧縮技術として、ＭＰ３（Ｍｏｖｉｎｇ  Ｐｉｃｔｕｒｅ  Ｅｘｐｅｒｔｓ  Ｇｒｏｕｐ−２  Ａｕｄｉｏ  Ｌａｙｅｒ−３）がある。ＭＰ３圧縮技術では、元のオーディオデータの音質を殆ど劣化させることなく、データ量を約１０分の１まで圧縮することができる。ＭＰ３形式の圧縮オーディオデータは、コンパクトディスク・レコーダブル（Ｃｏｍｐａｃｔ  Ｄｉｓｃ−Ｒｅｃｏｒｄａｂｌｅ（以下、ＣＤ−Ｒという。））やコンパクトディスク・リライタブル（Ｃｏｍｐａｃｔ  Ｄｉｓｃ−ＲｅＷｒｉｔａｂｌｅ（以下、ＣＤ−ＲＷという。））等の情報記録媒体にファイルとして記録することができる。ＣＤ−ＲやＣＤ−ＲＷ等の情報記録媒体に記録されたＭＰ３形式の圧縮オーディオデータのファイル（以下、ＭＰ３ファイルという。）は、ＭＰ３ファイルをデコードするＭＰ３デコーダを備えたＣＤプレーヤにより再生することができる（例えば、特許文献１参照。）。
【０００３】
ＭＰ３ファイルは、複数のフレーム（以下、ＭＰ３フレームという。）により構成されている。このＭＰ３フレームは、ヘッダ、サイド情報、メインデータ及び付加データから構成されている。また、ＭＰ３ファイルには、ビットレートが一定の固定ビットレートのＭＰ３ファイルと、ＭＰ３フレーム毎にビットレートが変化する可変ビットレートのＭＰ３ファイルがある。このビットレートは、ＭＰ３フレームのヘッダに記録されている（例えば、非特許文献１参照。）。
【０００４】
ＭＰ３フレームのヘッダには、ＭＰ３フレーム内の情報が記録されているため、特許文献１に開示されているようなＣＤプレーヤでは、ＭＰ３フレームのヘッダに記録されている情報にしたがって、ＭＰ３フレーム単位毎に圧縮オーディオデータをデコードしＭＰ３ファイルを再生している。また、可変ビットレートのＭＰ３ファイルは、ＭＰ３フレーム毎に異なるビットレートであるため、特許文献１に開示されているようなＣＤプレーヤでは、ＭＰ３ファイルの先頭からＭＰ３フレーム毎にヘッダに記録されている情報を読み取ることにより再生時間を算出している。
【０００５】
一方、ディスクジョッキー（Ｄｉｓｃ  Ｊｏｃｋｅｙ（以下、ＤＪという。））が用いるＤＪ用ＣＤプレーヤには、予め設定した再生開始位置（キューポイント）からオーディオデータの再生を開始するキュー再生と呼ばれる機能を備えている。例えば、音楽用ＣＤ（ＣＤ−Ｄｉｇｉｔａｌ  Ａｕｄｉｏ（以下、ＣＤ−ＤＡという。））に記録されたトラックナンバー２のトラックを再生しているとき、ＤＪは、キューポイント設定ボタンを押すことによりキューポイントを設定する。ＤＪ用ＣＤプレーヤは、キューポイント設定ボタンを押したときの再生時間（分、秒、フレーム）をメモリに記憶する。キューポイント設定後、キュー再生ボタンを押すことによりメモリに記憶されている再生時間に対応するオーディオデータが記録されたＣＤ−ＤＡ上の記録位置からオーディオデータの再生を開始する（例えば、特許文献２参照。）。また、ＤＪ用ＣＤプレーヤには、ＭＰ３ファイル等の圧縮オーディオデータが記録されたＣＤ−Ｒ等を再生することができるものもある。
【０００６】
【特許文献１】
特開２００２−２３６４９８号公報  （従来の技術の欄、第１図）
【特許文献２】
特開２００１−３４４９５０号公報  （従来の技術の欄）
【非特許文献１】
「Ｉｎｔｅｒｆａｃｅ」，ＣＱ出版株式会社，２０００年８月１日，ｐ．９１−９３
【０００７】
【発明が解決しようとする課題】
ＤＪは、ＭＰ３ファイルが記録されたＣＤ−Ｒ等の情報記録媒体を再生することができるＤＪ用ＣＤプレーヤにおいて、可変ビットレートのＭＰ３ファイルを再生しているときにキュー再生をしようとする場合がある。この場合、ＤＪ用ＣＤプレーヤは、ＭＰ３フレームのビットレートが固定でないために、ＭＰ３ファイルの先頭からＭＰ３フレーム毎にヘッダの情報を読み取り再生時間を算出しなければ、設定されたキューポイントの再生時間に対応する圧縮オーディオデータが記録された情報記録媒体上の位置を検索することができなかった。これに対して、特許文献２に開示されているようなＤＪ用ＣＤプレーヤでは、ＣＤ−ＤＡ上に記録されている絶対時間を読み取ることにより、設定されたキューポイントの再生時間を検索することができる。したがって、可変ビットレートのＭＰ３ファイルが記録されているＣＤ−Ｒ等に対して、設定されたキューポイントの検索に要する時間は、ＣＤ−ＤＡに記録されたオーディオデータに対するキューポイントの検索時間に比べて、長くなるという課題がある。
【０００８】
したがって、現在、再生しているＭＰ３ファイルのオーディオデータに続けて、設定されたキューポイントからＭＰ３ファイルのオーディオデータを連続再生する場合、設定されたキューポイントを検索するまでに時間を要すると、設定されたキューポイントを検索するまでに、キュー再生ボタンが押される前の定められたデータ量のオーディオデータが記憶されたメモリからオーディオデータを全て読み出してしまい、オーディオデータの再生が途切れてしまうことがある。
【０００９】
本発明は、上記課題を解決するためになされたものであり、可変ビットレートのオーディオデータファイル（例えば、ＭＰ３ファイル）において、再生するオーディオデータが途切れることなく、キューポイントの検索を短時間で行うことができる情報記録媒体再生装置を提供することを目的とする。
【００１０】
【課題を解決するための手段】
上記の課題を解決するために、本願の請求項１記載の発明は、情報記録媒体に記録されたフレーム情報を有する圧縮オーディオデータをフレーム単位でオーディオ信号に伸張し該オーディオ信号を再生する再生部と前記再生部が再生したオーディオ信号を出力する出力部を備えた情報記録媒体再生装置において、前記再生部が再生したオーディオ信号の再生開始位置を設定する設定部と、前記設定部が設定した再生開始位置における再生開始時間を記憶する記憶部と、前記設定部が設定した再生開始位置からオーディオ信号を再生する指示を入力する指示部と、前記再生部が予め定められたセクタ数に記録された圧縮オーディオデータを再生する毎にフレームのヘッダを検出する制御をする制御部とを備え、前記制御部は、前記設定部から再生開始位置を設定する指示が入力されると、前記再生部が圧縮オーディオデータのフレームのヘッダを再生したときの当該ヘッダの記録位置を示す情報を前記記憶部に記憶する制御をし、かつ、前記指示部から再生開始の指示が入力されると、前記記憶部に記憶された当該ヘッダの記録位置から圧縮オーディオデータの再生を開始し再生時間が前記再生開始時間と一致したとき、オーディオ信号を前記出力部から出力する制御をすることを特徴とする。
【００１１】
また、本願の請求項２記載の発明は、請求項１記載の情報記録媒体再生装置において、前記記憶部は、前記制御部が前記予め定められたセクタ数毎にフレームのヘッダを検出したときの再生時間及び該ヘッダの記録位置を示す情報を記憶する記憶テーブル部を備えることを特徴とする。
【００１２】
また、本願の請求項３記載の発明は、請求項１又は請求項２記載の情報記録媒体再生装置において、情報記録媒体に記録された圧縮オーディオデータは、可変ビットレートのＭＰ３形式の圧縮オーディオデータであることを特徴とする。
【００１３】
【発明の実施の形態】
以下、本発明の実施の形態を図面に基づいて説明する。
図１は、本発明の一実施例である情報記録媒体再生装置の構成を示すブロック図である。本実施例の情報記録媒体再生装置は、ＣＤ−ＤＡの他に、ＭＰ３ファイルが記録されたＣＤ−ＲやＣＤ−ＲＷ等が再生可能であり、キュー機能を備えたＤＪ用ＣＤプレ−ヤである。
【００１４】
図１において、１はスピンドルモータ、２はサーボ制御部、３は光ピックアップ、４は再生アンプ、５はデジタルシグナルプロセッサ（Ｄｉｇｉｔａｌ  Ｓｉｇｎａｌ  Ｐｒｏｃｅｓｓｏｒ（以下、ＤＳＰという。））、６はオーディオデータ記憶部、７はデジタルアナログ変換器（Ｄｉｇｉｔａｌ  ｔｏ  Ａｎａｌｏｇ  Ｃｏｎｖｅｒｔｅｒ（以下、ＤＡＣという。））、８はアンプ、１０は制御部、１１は操作部、１２は表示部、１３は記憶部を示す。なお、ＣＤは、ＣＤ−ＤＡ、ＣＤ−ＲまたはＣＤ−ＲＷ等である。
【００１５】
スピンドルモータ１に固定されたターンテーブルは、ＣＤを装着する。操作部１１から再生開始の指示が入力されると、サーボ制御部２は、スピンドルモータ１を所定の線速度で回転駆動させる制御をする。また、サーボ制御部２は、光ピックアップ３からのレーザ光をＣＤのピット列に正しくトレースするために、図示しないフォーカスサーボ回路とトラッキングサーボ回路を制御する。
【００１６】
光ピックアップ３が再生したデジタルオーディオデータは、再生アンプ４により波形整形及び増幅されＤＳＰ５に入力される。ＤＳＰ５は、信号処理部とＭＰ３デコーダを備えている。ＤＳＰ５に入力されたデジタルオーディオデータがＣＤ−ＤＡ等から再生された非圧縮オーディオデータのとき、ＤＳＰ５は、信号処理部により非圧縮オーディオデータの復調、サブコードデータの復調、フォーカスエラー信号やトラッキングエラー信号等のエラー信号、同期信号の抜き出し等をしてデジタルオーディオデータをオーディオデータ記憶部６に入力する。また、ＤＳＰ５は、入力された非圧縮オーディオデータから時間情報を分離し制御部１０に入力する。ＤＳＰ５に入力されたデジタルオーディオデータがＭＰ３形式の圧縮オーディオデータのとき、ＤＳＰ５に内蔵するＭＰ３デコーダによりＭＰ３形式の圧縮オーディオデータをデコードしてデコードされたデジタルオーディオデータをオーディオデータ記憶部６に入力する。
【００１７】
オーディオデータ記憶部６は、ＤＳＰ５から入力されたデジタルオーディオデータを記憶する。オーディオデータ記憶部６に記憶されたデジタルオーディオデータは、ＤＳＰ５により読み出されＤＡＣ７に入力される。ＤＡＣ７は、デジタルオーディオデータをアナログオーディオ信号に変換しアンプ８に入力する。ＤＡＣ７から出力されたアナログオーディオ信号は、アンプ８により増幅され出力部９が備える出力端子に接続したスピーカから出力される。
【００１８】
制御部１０に接続された操作部１１は、オーディオデータの再生を開始する再生開始ボタン、再生停止ボタン、早送りボタン、早戻しボタン、選曲ボタン、キューポイントを設定するキューポイント設定ボタン、設定したキューポイントからオーディオデータの再生を開始するキュー再生ボタン等を備えている。制御部１０に接続された表示部１２は、現在再生しているトラックの再生時間（分、秒、フレーム）の表示、トラックナンバー等の表示を行う。制御部１０に接続された記憶部１３は、後述する記憶テーブル、キューポイント補足テーブル等を備えている。
【００１９】
制御部１０は、ＭＰ３ファイルが記録されたＣＤを再生する場合、再生されたＭＰ３フレームのヘッダに記録されている情報から再生時間（分、秒、フレーム）を算出し、算出した再生時間を表示部１２に表示する制御をする。制御部１０は、上述した操作部１１のキューポイント設定ボタンが押圧されたときのキューポイント再生開始時間を記憶部１３のキューポイント補足テーブルに記憶する制御をする。また、制御部１０は、図示しないＡＴＡＰＩ（Ａｄｖａｎｃｅｄ  Ｔｅｃｈｎｏｌｏｇｙ  Ａｔｔａｃｈｍｅｎｔ  Ｐａｃｋｅｔ  Ｉｎｔｅｒｆａｃｅ）バスにより、再生した圧縮オーディオデータが記録されたセクタ位置及びバイト位置の記録位置情報を取得する。ここで、ＣＤ−ＲにＭＰ３ファイルを記録するときの物理フォーマットをＣＤ−ＲＯＭ  ｍｏｄｅ−１とした場合、ＭＰ３ファイルは、２３５２バイトのセクタ毎に分割されて記録される。
【００２０】
本実施例のＤＪ用ＣＤプレーヤにおいて、可変ビットレートのＭＰ３ファイルが記録されたＣＤの再生動作について説明する。
【００２１】
制御部１０は、再生を開始したＭＰ３ファイルの先頭のＭＰ３フレームのヘッダを検出し、検出したヘッダがＣＤに記録されているセクタ位置及びバイト位置の記録位置情報を上述したＡＴＡＰＩバスにより取得する。制御部１０は、取得したセクタ位置及びバイト位置を記憶部１３の記憶テーブルに記憶する制御をする。また、制御部１０は、再生開始からＭＰ３ファイルの先頭のＭＰ３フレームのヘッダを検出するまでの再生時間を記憶部１３の記憶テーブルに記憶する制御をする。すなわち、制御部１０は、ＭＰ３ファイルの先頭のＭＰ３フレームのヘッダが記録された記録位置情報（セクタ位置及びバイト位置）及び再生開始からそのヘッダを再生するまでの再生時間を対応させて記憶部１３の記憶テーブルに記憶する制御をする。ＭＰ３ファイルの先頭のＭＰ３フレームのヘッダを再生するときの再生時間は、０分０秒０フレームとなる。
【００２２】
制御部１０は、検出したＭＰ３ファイルの先頭のＭＰ３フレームのヘッダが記録されたセクタから、予め定められたセクタ数に記録されたＭＰ３ファイルの圧縮オーディオデータを再生する毎にＭＰ３フレームのヘッダを検出する。本実施例では、この予め定められたセクタ数を２０セクタとして説明する。制御部１０は、再生した２０セクタ目のセクタ内で最初に検出するＭＰ３フレームのヘッダが記録されているセクタ位置及びバイト位置と再生開始から、そのヘッダを再生するまでの再生時間を記憶部１３の記憶テーブルに記憶する制御をする。
【００２３】
図２は、記憶部１３の記憶テーブルを示す図である。図２に示すように、記憶テーブルは、７個のテーブルを備えており、テーブル１から制御部１０が検出したセクタ位置及びバイト位置と再生時間のデータが記憶される。全てのテーブルに制御部１０が検出したセクタ位置及びバイト位置と再生時間のデータが記憶されると、制御部１０は、テーブル１から新たに制御部１０が検出したセクタ位置及びバイト位置と再生時間のデータを記憶する制御をする。
【００２４】
制御部１０は、１つのＭＰ３ファイルの再生が終了するまでの間、上述したように、ＭＰ３フレームのヘッダを検出したセクタ（例えば、図２に示すテーブル１の１４０セクタ。）から２０セクタ目のセクタ（例えば、図２に示すテーブル２の１６０セクタ。）を検出する。制御部１０は、検出したセクタのセクタ内で最初に再生するＭＰ３フレームのヘッダが記録されている記録位置及びそのヘッダの記録位置における再生時間を図２に示すような記憶部１３のテーブルに記憶する制御をする。
【００２５】
次に、本実施例のＤＪ用ＣＤプレーヤにおいて、キューポイントを設定し、設定したキューポイントから可変ビットレートのＭＰ３ファイルの再生を開始する再生動作について説明する。
【００２６】
可変ビットレートのＭＰ３ファイルを再生しているとき、操作部１１のキューポイント設定ボタンが押圧されると、制御部１０は、キューポイント設定ボタンが押圧されたときのキューポイント再生開始時間を記憶部１３のキューポイント補足テーブルに記憶する制御をする。また、制御部１０は、キューポイント設定ボタンが押圧された直前に検出し記憶部１３の記憶テーブルに記憶されたヘッダのセクタ位置、バイト位置及び再生時間をキューポイント補足データとして記憶部１３のキューポイント補足テーブルに記憶する。図３は、記憶部１３のキューポイント補足テーブルを示す図である。
【００２７】
例えば、キューポイント設定ボタンが押圧されたとき、制御部１０が算出した再生開始からキューポイント設定ボタンが押圧されたときまでの再生時間が０分１５秒７０フレームであるとき、制御部１０は、記憶部１３のキューポイント補足テーブルにキューポイント再生開始時間（０分１５秒７０フレーム）を記憶する制御をする。また、制御部１０は、このキューポイント設定ボタンが押圧された直前に記憶部１３の記憶テーブルのテーブル４に記憶されたセクタ位置（２００セクタ）、バイト位置（１２１２バイト）及び再生時間（０分１５秒３０フレーム）をキューポイント補足データとして、図３に示すようにキューポイント補足テーブルに記憶する制御をする。
【００２８】
キューポイントを設定した後、操作部１１のキュー再生ボタンを押圧することにより、設定したキューポイントから可変ビットレートのＭＰ３ファイルの再生を開始する。すなわち、制御部１０は、キュー再生ボタンが押圧されると、ＭＰ３ファイルの再生を停止する制御をし、記憶部１３のキューポイント補足テーブルに記憶されたキューポイント補足データのセクタ位置及びバイト位置に対応する記録位置を検出するようにサーボ制御部２を制御する。制御部１０は、キューポイント補足データのセクタ位置及びバイト位置に対応する記録位置を検出すると、検出した記録位置からＭＰ３ファイルの再生を開始する制御をする。制御部１０は、ＭＰ３ファイルの再生を開始すると、記憶部１３のキューポイント補足テーブルに記憶されたキューポイント補足データの再生時間から再生を開始したＭＰ３ファイルの再生時間を算出する。そして、制御部１０は、算出した再生時間がキューポイント補足テーブルに記憶されたキューポイント再生開始時間と一致するまでの間、再生されたオーディオデータが出力部９から出力されないようにミュートする制御をする。算出した再生時間とキューポイント再生開始時間が一致すると、制御部１０は、ミュートを解除する制御をする。
【００２９】
上述の実施形態において、本実施例のＤＪ用ＣＤプレーヤは、通常の再生速度よりも速い再生速度で、ＣＤに記録されたＭＰ３ファイルを再生するようにしてもよい。高速再生することにより、ＤＳＰ５によりデコードされたデジタルオーディオデータを短時間でオーディオデータ記憶部６に記憶させることができる。
【００３０】
【発明の効果】
本発明によれば、可変ビットレートのオーディオデータファイル（例えば、ＭＰ３ファイル）において、再生するオーディオデータが途切れることなく、キューポイントの検索を短時間で行うことができる情報記録媒体再生装置を提供することができる。
【図面の簡単な説明】
【図１】本発明の実施例であるＤＪ用ＣＤプレーヤの構成を示すブロック図。
【図２】記憶部１３が備える記憶テーブルを示す図。
【図３】記憶部１３が備えるキューポイント補足テーブルを示す図。
【符号の説明】
１    スピンドルモータ
２    サーボ制御部
３    光ピックアップ
４    再生アンプ
５    ＤＳＰ
６    オーディオデータ記憶部
７    ＤＡＣ
８    アンプ
９    出力部
１０    制御部
１１    操作部
１２    表示部
１３    記憶部
【図１】
2004272952.tif 000003
【図２】
2004272952.tif 000004
【図３】
2004272952.tif 000005